(57)【要約】【課題】脱着状況に応じて表示のＯＮ／ＯＦＦを制御する眼鏡型表示装置において、誤動作を防止する。【解決手段】眼鏡型表示装置は、表示部と、押圧を検出する押圧センサと押圧センサにおける検出結果に基づいて、表示部の表示をＯＮにするかＯＦＦにするかを判定する判定部と、を備え、前記判定部は、前記押圧センサが検出する押圧値が所定の押圧値範囲内である場合に、前記表示部の表示をＯＮにする。【選択図】図１
2016197198.tif 000002
【特許請求の範囲】
【請求項１】
表示部と、
押圧を検出する押圧センサと、
前記押圧センサにおける検出結果に基づいて、前記表示部の表示をＯＮにするかＯＦＦにするかを判定する判定部と、
を備え、
前記判定部は、前記押圧センサが検出する押圧値が所定の押圧値範囲内である場合に、前記表示部の表示をＯＮにする、
ことを特徴とする眼鏡型表示装置。
【請求項２】
前記判定部は、前記押圧センサが検出する押圧値が押圧非印加状態の押圧値から前記押圧値範囲内に達するまでの時間が所定の時間範囲内である場合に、前記表示部の表示をＯＮにする、
ことを特徴とする請求項１に記載の眼鏡型表示装置。
【請求項３】
前記判定部は、前記押圧センサが検出する押圧値が前記押圧値範囲内であるか否かを判定し、当該押圧値が前記押圧値範囲内であるとの判定が所定の時間以上継続した場合に、前記表示部の表示をＯＮにする、
ことを特徴とする請求項１または請求項２に記載の眼鏡型表示装置。
【請求項４】
人体の近接を検出する人感センサをさらに備え、
前記判定部は、前記人感センサが人体の近接を検出した場合に、前記押圧センサにおける検出結果に基づいて、前記表示部の表示をＯＮにするかＯＦＦにするかを判定する、
ことを特徴とする請求項１から請求項３のいずれか一項に記載の眼鏡型表示装置。
【請求項５】
表示部を備えた眼鏡型表示装置としてのコンピュータに、
押圧を検出する押圧センサにおける検出結果に基づいて、前記表示部の表示をＯＮにするかＯＦＦにするかを判定し、前記押圧センサが検出する押圧値が所定の押圧値範囲内である場合に、前記表示部の表示をＯＮにする判定ステップ、
を実行させるためのプログラム。
【発明の詳細な説明】
【技術分野】
【０００１】
本発明は、眼鏡型表示装置及びプログラムに関する。
【背景技術】
【０００２】
現在、小型眼鏡型ディスプレイ装置における表示を、ディスプレイの脱着状態によって行うように制御する技術がある。特許文献１に記載の技術では、小型眼鏡型ディスプレイ装置に着脱状況を感知する認識部及び判定部を備え、着脱状況によってディスプレイ表示のＯＮ／ＯＦＦを制御する。
【先行技術文献】
【特許文献】
【０００３】
【特許文献１】特開平６−２９２１０４号公報
【発明の概要】
【発明が解決しようとする課題】
【０００４】
しかしながら、特許文献１に記載された技術では、ディスプレイ表示のＯＦＦ時にポケットや鞄等に収容されているときに、外部からの押圧印加によって、ユーザの意図しないディスプレイ表示のＯＮ、すなわち誤動作が発生する場合がある、という問題がある。
【０００５】
本発明は、上記した事情に鑑みてなされたもので、脱着状況に応じて表示のＯＮ／ＯＦＦを制御する眼鏡型表示装置において、誤動作を防止することができる眼鏡型表示装置及びプログラムを提供することを目的の一つとする。
【課題を解決するための手段】
【０００６】
本発明の一態様は、表示部と、押圧を検出する押圧センサと、前記押圧センサにおける検出結果に基づいて、前記表示部の表示をＯＮにするかＯＦＦにするかを判定する判定部と、を備え、前記判定部は、前記押圧センサが検出する押圧値が所定の押圧値範囲内である場合に、前記表示部の表示をＯＮにする、ことを特徴とする眼鏡型表示装置である。
【０００７】
また、本発明の一態様は、上記眼鏡型表示装置において、前記判定部は、前記押圧センサが検出する押圧値が押圧非印加状態の押圧値から前記押圧値範囲内に達するまでの時間が所定の時間範囲内である場合に、前記表示部の表示をＯＮにする、ことを特徴とする。
【０００８】
また、本発明の一態様は、上記眼鏡型表示装置において、前記判定部は、前記押圧センサが検出する押圧値が前記押圧値範囲内であるか否かを判定し、当該押圧値が前記押圧値範囲内であるとの判定が所定の時間以上継続した場合に、前記表示部の表示をＯＮにする、ことを特徴とする。
【０００９】
また、本発明の一態様は、上記眼鏡型表示装置において、人体の近接を検出する人感センサをさらに備え、前記判定部は、前記人感センサが人体の近接を検出した場合に、前記押圧センサにおける検出結果に基づいて、前記表示部の表示をＯＮにするかＯＦＦにするかを判定する、ことを特徴とする。
【００１０】
また、本発明の一態様は、表示部を備えた眼鏡型表示装置としてのコンピュータに、押圧を検出する押圧センサにおける検出結果に基づいて、前記表示部の表示をＯＮにするかＯＦＦにするかを判定し、前記押圧センサが検出する押圧値が所定の押圧値範囲内である場合に、前記表示部の表示をＯＮにする判定ステップ、を実行させるためのプログラムである。
【発明の効果】
【００１１】
本発明によれば、脱着状況に応じて表示のＯＮ／ＯＦＦを制御する眼鏡型表示装置において、誤動作を防止することができる。
【図面の簡単な説明】
【００１２】
【図１】本発明の実施形態によるスマートグラスの一例を示す模式図である。
【図２】本実施形態によるスマートグラスの機能構成例を示す構成図である。
【図３】本実施形態による押圧判定処理の判定条件を説明する説明図である。
【図４】本実施形態による画面表示をＯＮにする画面表示制御処理の一例を示すフローチャートである。
【図５】押圧センサの他の設置例を示す模式図である。
【発明を実施するための形態】
【００１３】
以下、図面を参照して、本発明の一実施形態について説明する。
図１は、本実施形態によるスマートグラス１の一例を示す模式図である。この図に示すスマートグラス１は、本実施形態による眼鏡型表示装置の一例であって、眼鏡型のウェアラブル端末の一例である。この図は、スマートグラス１の斜視の外観図を示している。以下、スマートグラス１を装着したときの向きを基準として左右方向を定める。また、スマートグラス１を装着したときに人体と接触する側を内側という。
【００１４】
スマートグラス１は、筐体部１０と、テンプル部（右）２０と、耳かけ部（右）２１と、テンプル部（左）２２と、耳かけ部（左）２３と、を備えている。筐体部１０にはディスプレイ３０が設けられている。ディスプレイ３０は、両眼レンズ部分にそれぞれ配置された、画像や文字等の情報を表示する透過型液晶パネル等のディスプレイであり、情報を表示する表示部である。ディスプレイ３０は、ディスプレイ３０に対する接触位置に応じた信号出力を行う。なお、筐体部１０の中には、ディスプレイ３０の表示制御やスマートグラス１が有する機能を実現するための情報処理を行う制御部が備えられている。
【００１５】
また、テンプル部（右）２０には、焦電センサ５０（人感センサの一例）が設けられている。例えば、焦電センサ５０は、テンプル部（右）２０の内側に設けられ、テンプル部（右）２０の内側に対する人体の近接を検出し、検出信号を出力する。なお、焦電センサ５０は一例であって、人体の近接を検出するものであれば、超音波、可視光、赤外線などを利用して検出する他のセンサであってもよい。
【００１６】
テンプル部（右）２０の一端は筐体部１０の右側の端に接続され、他端には耳かけ部（右）２１が設けられている。また、テンプル部（左）２２一端は筐体部１０の左側の端に接続され、他端には耳かけ部（左）２３が設けられている。耳かけ部（右）２１及び耳かけ部（左）２３には、押圧を検出する押圧センサ４０が設けられている。例えば、押圧センサ４０は、ユーザがスマートグラス１を装着した際に接触する位置に設けられ、検出した押圧値を示す検出信号を出力する。以下、説明の便宜を図るため、耳かけ部（左）２３に設置される押圧センサ４０を押圧センサ（左）４０Ａと記し、耳かけ部（右）２１に設置される押圧センサ４０を押圧センサ（右）４０Ｂを記す。なお、押圧センサ（左）４０Ａ、押圧センサ（右）４０Ｂに共通する事項については、単に「押圧センサ４０」又は「各押圧センサ４０」と記す。
【００１７】
次に、図２を参照して、スマートグラス１の機能構成について説明する。
図２は、本実施形態によるスマートグラス１の機能構成の一例を示す構成図である。
スマートグラス１は、ディスプレイ３０と、押圧センサ（左）４０Ａと、押圧センサ（右）４０Ｂと、焦電センサ５０と、制御部１００と、を備えている。なお、この図において、図１に対応する構成には、同一の符号を付しており、その説明を省略する。
【００１８】
制御部１００は、筐体部１０の内部に備えられている。制御部１００は、人体近接判定部１１０と、押圧情報記憶部１２０と、押圧判定部（左）１３０と、押圧判定部（右）１４０と、装着判定部１５０と、表示制御部１６０と、を備えている。
【００１９】
人体近接判定部１１０は、焦電センサ５０から出力される検出信号を監視し、人体の近接を検知したか否かを判定する。そして、人体近接判定部１１０は、人体の近接を検知した場合、人体が近接している状態であることを示す人体近接状態情報を押圧判定部（左）１３０及び押圧判定部（右）１４０へ通知する。なお、人体近接判定部１１０による人体近接の検知は、省電力のためハードウェアで行うことが望ましい。
【００２０】
押圧情報記憶部１２０は、押圧判定部（左）１３０及び押圧判定部（右）１４０が後述する判定条件を充足するか否かを判定する際に必要な押圧情報を押圧センサ（左）４０Ａ及び押圧センサ（右）４０Ｂそれぞれについて記憶する。押圧情報とは、押圧値範囲（押圧変動情報）、押圧変動時間範囲（押圧変動情報）、及び押圧値継続時間（押圧継続情報）などである。押圧値範囲は、ユーザがスマートグラス１を装着する動作を実施する際に、押圧センサ４０が出力する押圧値の範囲（最小押圧値Ｐｍｉｎ及び最大押圧値Ｐｍａｘ）である。この押圧値範囲は、外部の物体が接触した場合の押圧値とスマートグラス１の装着中における押圧値とを区分するためのものである。押圧変動時間範囲は、押圧非印加状態から最小押圧値Ｐｍｉｎ（押圧値範囲内）に達するまでの時間の範囲（最短時間Ｔ１ｍｉｎ及び最長時間Ｔ１ｍａｘ）である。また、押圧値継続時間は、押圧センサ４０の出力する押圧値が最小押圧値Ｐｍｉｎ（押圧値範囲内）に達してから、押圧値範囲内を継続する時間の閾値Ｔ２ｍｉｎである。
【００２１】
以下、押圧センサ（左）４０Ａにおける最小押圧値ＰｍｉｎをＰｍｉｎＬとし、最大押圧値ＰｍａｘをＰｍａｘＬとし、最短時間Ｔ１ｍｉｎをＴ１ｍｉｎＬとし、最長時間Ｔ１ｍａｘをＴ１ｍａｘＬとし、継続時間の閾値Ｔ２ｍｉｎをＴ２ｍｉｎＬとする。また、押圧センサ（右）４０Ｂにおける最小押圧値ＰｍｉｎをＰｍｉｎＲとし、最大押圧値ＰｍａｘをＰｍａｘＲとし、最短時間Ｔ１ｍｉｎをＴ１ｍｉｎＲとし、最長時間Ｔ１ｍａｘをＴ１ｍａｘＲとし、継続時間の閾値Ｔ２ｍｉｎをＴ２ｍｉｎＲとする。なお、押圧情報記憶部１２０が記憶する押圧情報は、各ユーザそれぞれに応じて個別設定が可能である。
【００２２】
押圧判定部（左）１３０及び押圧判定部（右）１４０は、人体近接判定部１１０から人体近接状態情報の通知を受けたことを契機として、押圧情報記憶部１２０に記憶されている押圧情報を参照して、押圧判定処理を行う。
【００２３】
押圧判定部（左）１３０は、人体近接判定部１１０から人体近接状態情報の通知を受けたことを契機として、押圧判定処理を開始する。押圧判定部（左）１３０は、押圧判定処理において、一定時間間隔（Δｔ）で押圧センサ（左）４０Ａが出力する検出信号を監視し、判定条件「条件１：ＰｍｉｎＬ≦押圧センサ（左）４０Ａが検出する押圧値ＰＬ＜ＰｍａｘＬ」、「条件２：ＴｍｉｎＬ≦押圧値ＰＬがＰｍｉｎＬに達するまでの時間Ｔ１＜Ｔ１ｍａｘＬ」及び「条件３：Ｔ２ｍｉｎＬ≦押圧値ＰＬがＰｍｉｎＬ以上ＰｍａｘＬ未満の値を継続する時間」を充足するか否かを判定し、判定した結果を示す判定情報を装着判定部１５０に出力する。判定条件の詳細については後述する。
【００２４】
押圧判定部（右）１４０は、人体近接判定部１１０から人体近接状態情報の通知を受けたことを契機として、押圧判定処理を開始する。押圧判定部（右）１４０は、押圧判定処理において、一定時間間隔（Δｔ）で押圧センサ（右）４０Ｂが出力する検出信号を監視し、判定条件「条件１：ＰｍｉｎＲ≦押圧センサ（右）４０Ｂが検出する押圧値ＰＲ＜ＰｍａｘＲ」、「条件２：ＴｍｉｎＲ≦押圧値ＰＲがＰｍｉｎＲに達するまでの時間Ｔ１＜Ｔ１ｍａｘＲ」及び「条件３：Ｔ２ｍｉｎＲ≦押圧値ＰＲがＰｍｉｎＲ以上ＰｍａｘＲ未満の値を継続する時間」を充足するか否かを判定し、判定した結果を示す判定情報を装着判定部１５０に出力する。判定条件の詳細については後述する。
【００２５】
装着判定部１５０は、押圧判定部（左）１３０及び押圧判定部（右）１４０から入力される判定情報に基づいて、スマートグラス１が装着されたか否かを判定する。具体的には、装着判定部１５０は、押圧判定部（左）１３０及び押圧判定部（右）１４０が判定条件を全て充足していると判定した場合に、スマートグラス１が装着されたと判定する。そして、装着判定部１５０は、スマートグラス１が装着されたと判定した場合には、ディスプレイ３０の表示をＯＮ（表示）にする指示信号を表示制御部１６０に出力する。また、装着判定部１５０は、スマートグラス１が装着されていないと判定した場合には、ディスプレイ３０の表示をＯＦＦ（非表示）にする指示信号を表示制御部１６０に出力する。
【００２６】
表示制御部１６０は、装着判定部１５０から入力された指示信号に基づきディスプレイ３０の表示のＯＮまたはＯＦＦの制御を行う。
【００２７】
図３は、本実施形態による押圧判定処理の判定条件を説明する説明図である。この図を参照して、判定条件の一例について説明する。この図に示すグラフは、横軸が時刻ｔであり、縦軸が押圧センサ４０により検出された押圧値Ｐである。この図では、Ｃａｓｅ１、２、３の３種類の押圧変化のパターンを示している。押圧判定部（左）１３０及び押圧判定部（右）１４０は、「条件１」、「条件２」、及び「条件３」の全ての条件を充足したか否かを判定する。
【００２８】
「条件１」：押圧センサ４０により検出された押圧値Ｐが、所定の押圧値範囲に入っていることを第１の判定条件とする。押圧値範囲は、例えば、スマートグラス１が装着される際に印加される押圧に基づいて予め設定されている。また、押圧値範囲として、「押圧値Ｐｍｉｎ以上押圧値Ｐｍａｘ未満（Ｐｍｉｎ〜Ｐｍａｘ）」の範囲が設定されている。押圧判定部（左）１３０及び押圧判定部（右）１４０は、押圧センサ４０により検出された押圧値Ｐが押圧値範囲外である場合には、スマートグラス１が装着されていないと判定する。この図に示す例では、Ｃａｓｅ１、２、３のいずれも押圧値Ｐが押圧値範囲「押圧値Ｐｍｉｎ以上押圧値Ｐｍａｘ未満」内であるため、「条件１」は充足されていると判定される。なお、この押圧値範囲「押圧値Ｐｍｉｎ以上押圧値Ｐｍａｘ未満」は、押圧変動情報として、押圧センサ（左）４０Ａ及び押圧センサ（右）４０Ｂそれぞれについて押圧情報記憶部１２０に記憶されている。
【００２９】
「条件２」：押圧センサ４０により検出された押圧値Ｐが押圧値範囲内になった場合に（条件１が充足）、押圧値Ｐが押圧非印加状態の押圧値から押圧閾値Ｐｍｉｎに達するまでの時間Ｔ１が所定の時間範囲に入っていることを第２の判定条件とする。ここで、押圧非印加状態とは、押圧センサ４０が押圧を検知していない状態のことである。押圧値Ｐが押圧非印加状態であるとは、例えば押圧値Ｐが「０」の状態であるとしてもよいし、押圧非印加状態であるか否かを判定するための押圧閾値Ｐ０以下の状態であるとしてもよい。この例では、押圧値Ｐが押圧閾値Ｐ０以下である状態が押圧非印加状態であり、押圧閾値Ｐ０を超えた時刻が時刻ｔ０である。
【００３０】
即ち、時刻ｔ０から押圧値Ｐが押圧閾値Ｐｍｉｎに達するまでの時間が、押圧値Ｐが押圧非印加状態の押圧値から押圧閾値Ｐｍｉｎに達するまでの時間Ｔ１である。また、時刻ｔ０から押圧値Ｐが押圧閾値Ｐｍｉｎに達するまでの所定の時間範囲として、「時間Ｔ１ｍｉｎ以上時間Ｔ１ｍａｘ未満（Ｔ１ｍｉｎ〜Ｔ１ｍａｘ）」の範囲が設定されている。
【００３１】
Ｃａｓｅ１の場合、時刻ｔ１（１）で押圧値Ｐが押圧閾値Ｐｍｉｎ以上となる。時刻ｔ０から時刻ｔ１（１）までの時間Ｔ１（１）は、時間Ｔ１ｍｉｎ未満であり、「時間Ｔ１ｍｉｎ以上時間Ｔ１ｍａｘ未満」の範囲外である。そのため、押圧判定部（左）１３０または押圧判定部（右）１４０は、Ｃａｓｅ１の場合、「条件２」は充足されていないと判定する。一方、Ｃａｓｅ２、３の場合、それぞれ時刻ｔ１（２）と、時刻ｔ１（３）とで押圧値Ｐが押圧閾値Ｐｍｉｎ以上となる。時刻ｔ０から時刻ｔ１（２）までの時間Ｔ１（２）と、時刻ｔ０から時刻ｔ１（３）までの時間Ｔ１（３）とは、いずれも「時間Ｔ１ｍｉｎ以上時間Ｔ１ｍａｘ未満」の範囲内である。そのため、押圧判定部（左）１３０または押圧判定部（右）１４０は、Ｃａｓｅ２、３の場合、「条件２」は充足されていると判定する。なお、この時間範囲（時間Ｔ１ｍｉｎ以上時間Ｔ１ｍａｘ未満）は、押圧変動情報として、押圧センサ（左）４０Ａ及び押圧センサ（右）４０Ｂそれぞれについて押圧情報記憶部１２０に記憶されている。
【００３２】
「条件３」：押圧センサ４０により検出された押圧値Ｐが、時間範囲「時間Ｔ１ｍｉｎ以上時間Ｔ１ｍａｘ未満」内に押圧閾値Ｐｍｉｎ以上なった場合に（条件１及び条件２が充足）、押圧値Ｐが押圧値範囲「押圧値Ｐｍｉｎ以上押圧値Ｐｍａｘ未満」を維持する時間Ｔ２が所定の最短時間Ｔ２ｍｉｎ以上続くことを第３の条件とする。Ｃａｓｅ２の場合、押圧値Ｐが押圧値範囲を維持する時間Ｔ２（２）は、時間Ｔ２ｍｉｎ以上である。そのため、押圧判定部（左）１３０及び押圧判定部（右）１４０は、Ｃａｓｅ２の場合、全ての条件が充足されている（スマートグラス１が装着された）と判定する。一方、Ｃａｓｅ３の場合、押圧値Ｐが押圧値範囲を維持する時間Ｔ２（３）は、時刻ｔ１（３）から時刻ｔ２（３）までであり、時間Ｔ２ｍｉｎ未満である。そのため、押圧判定部（左）１３０及び押圧判定部（右）１４０は、Ｃａｓｅ３の場合、「条件３」を充足していないと判定する。なお、この時間Ｔ２ｍｉｎは、押圧継続情報として、押圧センサ（左）４０Ａ及び押圧センサ（右）４０Ｂそれぞれについて押圧情報記憶部１２０に記憶されている。
【００３３】
次に、図４を参照して、押圧判定結果に基づいてディスプレイ３０の画面表示をＯＦＦからＯＮに変更する画面表示制御処理の動作を説明する。図４は、本実施形態による画面表示をＯＮにする画面表示制御処理の一例を示すフローチャートである。
【００３４】
まず、表示制御部１６０は、ディスプレイ３０の画面表示をＯＦＦに設定しているか否かを判定する（ステップＳ１）。画面表示がＯＮであると判定された場合（ステップＳ１：ＮＯ）、表示制御部１６０は、ステップＳ１の処理を所定の時間間隔で繰り返す。一方、画面表示がＯＦＦであると判定された場合（ステップＳ１：ＹＥＳ）、表示制御部１６０は、人体近接判定部１１０に焦電センサ５０から出力される検出信号を監視させる。
【００３５】
次に、人体近接判定部１１０は、焦電センサ５０から出力される検出信号を監視し、人体の近接を検知したか否かを判定する（ステップＳ２）。人体の近接を検知していないと判定された場合（ステップＳ２：ＮＯ）、人体近接判定部１１０は、焦電センサ５０から出力される検出信号の監視を継続し、ステップＳ２の処理を繰り返す。一方、人体の近接を検知したと判定された場合（ステップＳ２：ＹＥＳ）、人体近接判定部１１０は、人体が近接している状態であることを示す人体近接状態情報を押圧判定部（左）１３０及び押圧判定部（右）１４０へ通知する。そして、押圧判定部（左）１３０及び押圧判定部（右）１４０は、人体近接判定部１１０から人体近接状態情報の通知を受けたことを契機として、押圧センサ４０から出力される検出信号を監視することにより押圧検出（押圧センサ４０の信号計測）を開始する（ステップＳ３）。
【００３６】
そして、押圧判定部（左）１３０及び押圧判定部（右）１４０は、検出された押圧値Ｐが押圧非印加状態の押圧値より大きいか否か（例えば、押圧閾値Ｐ０より大きいか否か）を判定する（ステップＳ４）。押圧値Ｐが押圧非印加状態の押圧値より大きくない場合（ステップＳ４：ＮＯ）、押圧判定部（左）１３０及び押圧判定部（右）１４０は、一定時間（Δｔ）待機した後（ステップＳ５）、押圧センサ４０が出力する検出信号の監視を継続し、ステップＳ４の処理を繰り返す。一方、押圧値Ｐが押圧非印加状態の押圧値より大きい場合（ステップＳ５：ＹＥＳ）、押圧判定部（左）１３０及び押圧判定部（右）１４０は、検出された押圧値Ｐが押圧値範囲内であるか否か（「条件１」）を判定する（ステップＳ６）。
【００３７】
検出された押圧値Ｐが押圧値範囲外であると判定された場合（ステップＳ６：ＮＯ）、押圧判定部（左）１３０及び押圧判定部（右）１４０は、検出された押圧値Ｐが最大押圧値Ｐｍａｘ以上であるか否かを判定する（ステップＳ７）。最大押圧値Ｐｍａｘ未満であると判定された場合（ステップＳ７：ＮＯ）、押圧判定部（左）１３０及び押圧判定部（右）１４０は、一定時間（Δｔ）待機した後（ステップＳ８）、押圧センサ４０が出力する検出信号の監視を継続し、ステップＳ６に処理を戻す。一方、最大押圧値Ｐｍａｘ以上であると判定された場合（ステップＳ７：ＹＥＳ）、押圧判定部（左）１３０及び押圧判定部（右）１４０は、検出された押圧値Ｐが押圧非印加状態の押圧値に戻るまで待機した後（ステップＳ９）、ステップＳ６に処理を戻す。すなわち、押圧値Ｐの計測中に押圧値範囲より大きい（最大押圧値Ｐｍａｘ以上の）押圧値Ｐが検出された場合は、押圧値Ｐが押圧非印加状態の押圧値に戻るまで待ち、再度押圧値Ｐの計測を開始する。
【００３８】
一方、検出された押圧値Ｐが押圧値範囲内であると判定された場合（ステップＳ６：Ｙｅｓ）、押圧判定部（左）１３０及び押圧判定部（右）１４０は、ステップＳ６〜Ｓ１０までの時間Ｔ１が、押圧変動時間範囲「時間Ｔ１ｍｉｎ以上時間Ｔ１ｍａｘ未満（Ｔ１ｍｉｎ〜Ｔ１ｍａｘ）」内であるか否か（「条件２」）を判定する（ステップＳ１０）。この時間Ｔ１は、ステップＳ５で押圧値Ｐが押圧非印加状態の押圧値より大きくなった時刻（時刻ｔ０）からステップＳ６で押圧値Ｐが押圧閾値Ｐｍｉｎ以上となった時刻までの時間である。時間Ｔ１が押圧変動時間範囲「時間Ｔ１ｍｉｎ以上時間Ｔ１ｍａｘ未満（Ｔ１ｍｉｎ〜Ｔ１ｍａｘ）」外であると判定された場合（ステップＳ１０：ＮＯ）、押圧判定部（左）１３０及び押圧判定部（右）１４０は、判定条件を充足していないと判定し、ステップＳ４に処理を戻す。
【００３９】
一方、時間Ｔ１が押圧変動時間範囲「時間Ｔ１ｍｉｎ以上時間Ｔ１ｍａｘ未満（Ｔ１ｍｉｎ〜Ｔ１ｍａｘ）」内であると判定された場合（ステップＳ１０：ＹＥＳ）、押圧判定部（左）１３０及び押圧判定部（右）１４０は、一定時間（Δｔ）待機した後（ステップＳ１１）、検出された押圧値Ｐが押圧値範囲外であるか否かを判定する（ステップＳ１２）。検出された押圧値Ｐが押圧値範囲内であると判定された場合（ステップＳ１２：ＮＯ）、押圧判定部（左）１３０及び押圧判定部（右）１４０は、ステップＳ１１に処理を戻す。
【００４０】
一方、検出された押圧値Ｐが押圧値範囲外であると判定された場合（ステップＳ１２：ＹＥＳ）、押圧判定部（左）１３０及び押圧判定部（右）１４０は、検出された押圧値Ｐが最大押圧値Ｐｍａｘ以上であるか否かを判定する（ステップＳ１３）。最大押圧値Ｐｍａｘ以上であると判定された場合（ステップＳ１３：ＹＥＳ）、押圧判定部（左）１３０及び押圧判定部（右）１４０は、検出された押圧値Ｐが押圧非印加状態の押圧値に戻るまで待機した後（ステップＳ１４）、ステップＳ４に処理を戻す。
【００４１】
一方、最大押圧値Ｐｍａｘ未満であると判定された場合（ステップＳ１３：ＮＯ）、押圧判定部（左）１３０及び押圧判定部（右）１４０は、ステップＳ１０〜Ｓ１２までの時間Ｔ２が所定の最短時間Ｔ２ｍｉｎ以上であるか否か（「条件３」）を判定する（ステップＳ１５）。この時間Ｔ２は、ステップＳ６で押圧値Ｐが最小押圧値Ｐｍｉｎ以上と判定されてから押圧値範囲内を維持している時間である。すなわち、押圧判定部（左）１３０及び押圧判定部（右）１４０は、押圧値Ｐの押圧値範囲内継続時間を計測し、計測した時間Ｔ２がユーザの装着動作に相当する時間Ｔ２ｍｉｎ以上であるか否かを判定する。時間Ｔ２が最短時間Ｔ２ｍｉｎ未満であると判定された場合（ステップＳ１５：ＮＯ）、押圧判定部（左）１３０及び押圧判定部（右）１４０は、判定条件を充足しないと判定し、ステップＳ４に処理を戻す。
【００４２】
一方、時間Ｔ２が最短時間Ｔ２ｍｉｎ以上であると判定された場合（ステップＳ１５：ＹＥＳ）、押圧判定部（左）１３０及び押圧判定部（右）１４０は、判定条件を充足すると判定し、判定情報を装着判定部１５０に出力する。装着判定部１５０は、スマートグラス１が装着されたと判定し、ディスプレイ３０の表示をＯＮにする指示を表示制御部１６０に通知する。これにより、表示制御部１６０は、ディスプレイ３０の表示をＯＦＦからＯＮに変更して処理を終了する（ステップＳ１６）。
【００４３】
なお、図４に示す例では、ステップＳ１６の後に処理を終了しているが、ステップＳ１６の処理の後に、制御部１００は、装着解除の判定をして、ディスプレイ３０の表示をＯＦＦに設定する処理を実施してもよい。具体的には、ステップＳ１６の後に、押圧判定部（左）１３０及び押圧判定部（右）１４０は、検出された押圧値Ｐが押圧非印加状態の押圧値に戻るまで待機し、押圧非印加状態の押圧値になると、装着判定部１５０にその旨通知する。装着判定部１５０は、押圧判定部（左）１３０及び押圧判定部（右）１４０から押圧非印加状態の押圧値になったことが通知されると、スマートグラス１の装着が解除されたと判定し、ディスプレイ３０の表示をＯＦＦにする指示を表示制御部１６０に通知する。これにより、表示制御部１６０は、ディスプレイ３０の表示をＯＮからＯＦＦに変更する。
【００４４】
以上説明してきたように、本実施形態によれば、スマートグラス１は、ディスプレイ３０と、押圧を検出する押圧センサ４０と、押圧センサ４０における検出結果に基づいて、ディスプレイ３０の表示をＯＮにするかＯＦＦにするかを判定する装着判定部１５０と、を備え、装着判定部１５０は、押圧センサ４０が検出する押圧値が所定の大厚地範囲内である場合に、ディスプレイ３０の表示をＯＮにする。
【００４５】
スマートグラス１は、スマートグラス１に対する人体の近接及び押圧の検出結果に基づいて、スマートグラス１が装着されたか否かを判定するため、精度良く装着判定を行うことができる。人体の近接を検出することにより、例えば、ポケットや鞄などの中でスマートグラス１が他の荷物と接触することにより定常的に押圧閾値Ｐｍｉｎ以上の押圧値Ｐが検出された場合であっても、装着されたと誤検出されてしまうことを防止することができる。
【００４６】
これにより、スマートグラス１は、装着を精度良く判定することができるため、ユーザがスマートグラス１を装着した場合にのみディスプレイ３０の表示をＯＮにすることができる。よって、従来知られている技術において発生していた、ポケットや鞄等へ収容されているときに起きる誤動作（ユーザの意図しないディスプレイ表示のＯＮ）を防止することができ、利便性を向上させることができる。
【００４７】
また、本実施形態では、「条件１」のみではなく「条件２」及び「条件３」も用いることで、近接物などにより瞬間的な押圧印加が発生した場合であっても、装着されたと誤検出されてしまうことを防止することができる。
【００４８】
以上、この発明の一実施形態について図面を参照して詳述してきたが、具体的な構成はこの実施形態に限られるものではなく、この発明の要旨を逸脱しない範囲の設計等も含まれる。
【００４９】
例えば、上述した実施形態では、「条件１」、「条件２」、及び「条件３」の全てが充足された場合にスマートグラス１が装着されたと判定する例を説明したが、これに限定されるものではない。「条件１」のみが充足された場合、「条件１」及び「条件２」が充足された場合、または「条件１」及び「条件３」が充足された場合に、スマートグラス１が装着されたと判定されるようにしてもよい。
【００５０】
なお、上述した実施形態で説明した押圧センサ４０または焦電センサ５０が設けられている位置及び各センサの数は一例であり、任意の位置及び数とすることができる。
例えば、上述した実施形態では、押圧センサ４０を耳かけ部（右）２１及び耳かけ部（左）２３にそれぞれに設けているが、これに限らず、いずれか一方にのみ設けてもよい。すなわち、押圧センサ４０の数は２個に限られず、１個であってもよいし、３個以上あってもよい。
【００５１】
或いは、押圧センサ４０を耳かけ部以外の位置に設置してもよい。図５は、押圧センサ４０の他の設置例を示す模式図である。図５（Ａ）に示す例では、押圧センサ４０を左右それぞれの鼻当てパッドに設置している。なお、本例では、左右両方の鼻当てパッドにそれぞれ押圧センサ４０を設置しているが、これに限らず、どちらか一方にのみ設置してもよい。また、図５（Ｂ）に示す例では、スマートグラス１は、後頭部パッド２５を備え、後頭部パッド２５に押圧センサ４０を１つ設置している。このように、押圧センサ４０の設置位置は、ユーザが装着したときに人体が接触する位置であれば、いずれの位置であってもよい。また、焦電センサ５０の位置も、上述した実施形態に限られず、ユーザがスマートグラス１を装着したときに、人体の近接を検出できる位置であればよい。
【００５２】
なお、上述した実施形態における制御部１００の一部または全部の機能をコンピュータで実現するようにしてもよい。その場合、上述の機能を実現するためのプログラムをコンピュータ読み取り可能な記録媒体に記録して、この記録媒体に記録されたプログラムをコンピュータシステムに読み込ませ、実行することによって上述の機能を実現してもよい。なお、ここでいう「コンピュータシステム」とは、端末装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００５３】
また、上述した実施形態における制御部１００の一部、または全部を、ＬＳＩ（Ｌａｒｇｅ  Ｓｃａｌｅ  Ｉｎｔｅｇｒａｔｉｏｎ）等の集積回路として実現してもよい。制御部１００の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００５４】
１  スマートグラス、１０  筐体部、２０  テンプル部（右）、２１  耳かけ部（右）、２２  テンプル部（左）、２３  耳かけ部（左）、３０  ディスプレイ、４０  押圧センサ、５０  焦電センサ、１００  制御部、１１０  人体近接判定部、１２０  押圧情報記憶部、１３０  押圧判定部（左）、１４０  押圧判定部（右）、１５０  装着判定部、１６０  表示制御部
【図１】
2016197198.tif 000003
【図２】
2016197198.tif 000004
【図３】
2016197198.tif 000005
【図４】
2016197198.tif 000006
【図５】
2016197198.tif 000007